(57)【要約】【課題】洗車時にホース類が引き摺られて損傷し易いことが回避され、洗車用具の後片付け具合が洗浄作業者の資質に左右されることが殆ど無く、洗車作業効率も改善されるようにして、従来の欠点が解消されて便利で使い勝手の良い洗車支援設備を提供する。【解決手段】自動車全長方向に沿う縦レール部７ａの一対を備え、下方に洗車用スペースＳを取って宙吊り支持される移動用レール７を有する洗車用構造体Ｋと、先端に人為操作自在な噴出部ｅが装備される洗浄流体供給用の可撓ホースｆ、及びこれの基端に接続される洗浄用流体供給源ｇが備えられて成る洗浄用ホース機構ｈを有する洗車支援装置Ｃとを有し、洗車用構造体Ｋには、可撓ホースｆの中間部分を係止自在なホース支持部１６を有し、かつ、移動用レール７に沿って移動自在に移動用レール７に支持される複数の駒部材１０が装備されている洗車支援設備。【選択図】図６
2008100540.tif 000002
【特許請求の範囲】
【請求項１】
自動車前後方向に沿って延びる縦レール部を備え、かつ、下方に洗車用スペースが配置される状態に宙吊り支持される移動用レールを有する洗車用構造体と、
先端に人為操作自在な噴出部が装備される洗浄流体供給用の可撓ホース、及びこれの基端に接続される洗浄用流体供給源が備えられて成る洗浄用ホース機構を有する洗車支援装置と、を有するとともに、
前記洗車用構造体には、前記可撓ホースにおけるホース長手方向中間部分の係止が自在なホース支持部を有し、かつ、前記移動用レールに沿っての移動が自在な状態で前記移動用レールに支持される複数の駒部材が装備されている洗車支援設備。
【請求項２】
前記移動用レールは、互いに自動車幅方向に隔てて配備される一対の前記縦レール部を有して構成されるとともに、前記各縦レール部のそれぞれに前記可撓ホースが装備されている請求項１に記載の洗車支援設備。
【請求項３】
前記洗浄用ホース機構は、前記一対の縦レール部に装備される前記駒部材のそれぞれに係止される前記一対の可撓ホースと、これら各可撓ホースの双方に洗浄用流体を供給する単一の前記洗浄用流体供給源と、を有して構成されている請求項２に記載の洗車支援設備。
【請求項４】
前記洗浄用ホース機構は、先端に前記噴出部が装備される洗浄液供給ホース、及びこれの基端に接続される洗浄液供給源が備えられて成る第１ホース機構と、先端に前記噴出部が装備される水供給ホース、及びこれの基端に接続される水供給源が備えられて成る第２ホース機構と、先端に前記噴出部が装備されるエア供給ホース、及びこれの基端に接続されるエア供給源とが備えられて成る第３ホース機構と、のうちのいずれか二つ以上を有して構成されている請求項１〜３の何れか一項に記載の洗車支援設備。
【請求項５】
請求項４に記載の前記水供給源が、水道水の受け入れが自在な水受入口を有して構成されている洗車支援設備。
【請求項６】
請求項４に記載の前記エア供給源が、コンプレッサからの高圧エアを受入れるエア導入部を有して構成されている洗車支援設備。
【請求項７】
前記エア導入部は、ガソリンスタンドに既設のコンプレッサを対象とするものである請求項６に記載の洗車支援設備。
【発明の詳細な説明】
【技術分野】
【０００１】
本発明は、ガソリンスタンドやセルフ洗車場等における人為作業によって洗車を行う際に好適な洗車支援設備（人為作業による洗車を支援する設備）に関するものである。
【背景技術】
【０００２】
この種の洗車支援設備の一種として、従来では洗車機や洗車装置が知られている。洗車機としては、特許文献１や２において開示されるように、地面に敷設された一対のレール上で往復移動自在な門型の洗車装置を備えた自動洗車機が知られている。その洗車装置は、左右一対と上方に配置される回転ブラシやエアブロー機構等を有しており、一対のレール間の所定位置に停車されている自動車に洗浄液や濯ぎ水を撒いて回転ブラシを回転させながら自動車の前後方向に往復移動させることにより、自動的に自動車の洗車及び乾燥を行うものである。このような自動洗車機は、一般には、ガソリンスタンド等に装備されている例が多い。
【０００３】
上述の自動洗車機は、自動車を所定の位置に停車させてから起動スイッチを入れるだけで、自動車の外回りの洗浄から仕上げの乾燥迄の作業を自動的に、かつ、迅速に行える便利なものである。その洗車している間、運転者は車内に居て洗浄機械の動きを内側から眺めるも良し、待合室等でドリンクを飲みながら休憩しているも良しである。しかしながら、自動洗車機は当然に有料であるとともに、高速回転する回転ブラシによって自動車の塗装が痛み易いという慢性的な問題を有している。また、経営サイドとしては、自動洗車機を設置するに当っては、大きな敷設スペースを要し、かつ、コストも高く付くものであるとともに、その割りには収益率は芳しくない面があり、小型店等の収益率の低い店では導入し難いものであった。
【０００４】
そこで、特許文献３において開示されるように、水道水利用の洗浄具と乾燥具とを、人為操作自在に移動可能なフレームに備えて成る手動式洗車装置を設けることも知られている。この人為作業によって洗車する手段は、必要スペースが自動洗車機を設置する場合に比べて明確に小さくて済むとともに、自動車ユーザー或いはガソリンスタンド店員のいずれが洗車作業するにしても、自動式に比べて塗装の傷みも無くきめ細かに洗車できる点で根強い人気があり、自動洗車機が装備されている店でも人為作業による洗車を頼む顧客が以外に多いという程である。この場合、店に頼む場合の洗車料金は自動洗車機の料金よりも高くなるが、ユーザー自ら行えば無料で済むという利点が選択できるためか、手動式洗車装置の設置を望む声も増えてきている。
【０００５】
従来の手動式洗車装置を用いて洗車するには、装置から出る洗浄用ホースを引き延ばすことで自動車を周回しながら洗車作業することになるから、左右いずれ回りで作業するにしても自動車を引き摺って一周するに足りる十分長くかつ丈夫なホースが必要になるとともに、洗浄用ホースを元に戻すには必ず逆回りするという作業者の動く方向に制約が生じる点で不便であった。そこで、自動車に対する左回りでの洗車作業と右回りでの洗車作業とを駆使する前提とすることによってホース長を短くする手段も考えられるが、この場合では作業に明確な方向性が要求され、さらに面倒で使い勝手に劣る不利がある。
【０００６】
加えて、作業者によっては使用後の洗車ホース類の片付け状態が悪いこともあり、そのことに起因して次の作業者にとって使い勝手が悪いとか、散らばっている等の保管状態の悪さによって洗車ホース等の用具類の耐久性に悪影響が及ぶおそれもあった。また、従来の手動洗車装置は、洗車作業（自動車全体への洗浄液の供給、スポンジ等の洗浄用具による拭き洗い掃除、散水による濯ぎ等）が１人で行うことを前提として構成されているから、洗車に多くの時間が掛かって作業効率が芳しくなく、それによって、次に洗車する予定の方の待ち時間が長くなる不利もある。このように、手動式洗車装置においても改善の余地が残されているものであった。
【特許文献１】特開平７−８１５３１号公報
【特許文献２】特開平９−２９０７１１号公報
【特許文献３】特開２００４−２３１０５５号公報
【発明の開示】
【発明が解決しようとする課題】
【０００７】
本発明の目的は、コストや設置スペース、及び洗車仕上がり具合において有利な手動式洗車装置に着目するものであり、洗車作業時における洗浄用ホースの移動に方向性が生じることに起因してホース類が損傷し易いことが回避されるとともに、洗車用具の後片付け具合が洗浄作業者の資質に左右されることが殆ど無く、また、洗車作業効率も改善されるようにして、従来の欠点が解消されて便利で使い勝手の良い洗車支援設備を開発して提供する点にある。
【課題を解決するための手段】
【０００８】
請求項１に係る発明は、洗車支援設備において、自動車前後方向に沿って延びる縦レール部７ａを備え、かつ、下方に洗車用スペースＳが配置される状態に宙吊り支持される移動用レール７を有する洗車用構造体Ｋと、
先端に人為操作自在な噴出部ｅが装備される洗浄流体供給用の可撓ホースｆ、及びこれの基端に接続される洗浄用流体供給源ｇが備えられて成る洗浄用ホース機構ｈを有する洗車支援装置Ｃと、を有するとともに、
前記洗車用構造体Ｋには、前記可撓ホースｆにおけるホース長手方向中間部分の係止が自在なホース支持部１６を有し、かつ、前記移動用レール７に沿っての移動が自在な状態で前記移動用レール７に支持される複数の駒部材１０が装備されていることを特徴とするものである。
【０００９】
請求項２に係る発明は、請求項１に記載の洗車支援設備において、前記移動用レール７は、互いに自動車幅方向に隔てて配備される一対の前記縦レール部７ａ，７ａを有して構成されるとともに、前記各縦レール部７ａ，７ａのそれぞれに前記可撓ホースｆが装備されていることを特徴とするものである。
【００１０】
請求項３に係る発明は、請求項２に記載の洗車支援設備において、前記洗浄用ホース機構ｈは、前記一対の縦レール部７ａ，７ａに装備される前記駒部材１０のそれぞれに係止される一対の前記可撓ホースｆ，ｆと、これら各可撓ホースｆ，ｆの双方に洗浄用流体を供給する単一の前記洗浄用流体供給源ｇと、を有して構成されていることを特徴とするものである。
【００１１】
請求項４に係る発明は、請求項１〜３の何れか一項に記載の洗車支援設備において、前記洗浄用ホース機構ｈは、先端に前記噴出部２２が装備される洗浄液供給ホース２０、及びこれの基端に接続される洗浄液供給源２１が備えられて成る第１ホース機構ｈ１と、先端に前記噴出部２５が装備される水供給ホース２３、及びこれの基端に接続される水供給源２４が備えられて成る第２ホース機構ｈ２と、先端に前記噴出部２８が装備されるエア供給ホース２６、及びこれの基端に接続されるエア供給源２７とが備えられて成る第３ホース機構ｈ３と、のうちのいずれか二つ以上を有して構成されていることを特徴とするものである。
【００１２】
請求項５に係る発明は、洗車支援設備において、請求項４に記載の前記水供給源２４が、水道水の受け入れが自在な水受入口２９を有して構成されていることを特徴とするものである。
【００１３】
請求項６に係る発明は、洗車支援設備において、請求項４に記載の前記エア供給源２７が、コンプレッサ４０からの高圧エアを受入れるエア導入部４１を有して構成されていることを特徴とするものである。
【００１４】
請求項７に係る発明は、請求項６に記載の洗車支援設備において、前記エア導入部４１は、ガソリンスタンドに既設のコンプレッサ４０を対象とするものであることを特徴とするものである。
【発明の効果】
【００１５】
請求項１の発明によれば、洗車用構造体の駒部材に吊設される洗浄用ホース機構が洗車支援装置に設けられているので、石鹸水（洗浄液）や水道水、或いは高圧エア等の洗浄流体を、自動車に対する上方においてその自動車長手方向である縦方向に移動自在な状態で使用することができる。つまり、自動車の屋根、前面、後面、側面等の各部分に洗浄流体を供給する作業を、洗浄用ホース機構を空中において軽快に移動させながら行えるようになり、便利で作業効率にも優れるものとなる。また、洗車支援装置と洗車用構造体との能力や大きさをマッチングさせることにより、人為洗車作業の補助ツールとして便利で効率良く機能させることが可能になる。
【００１６】
ホース支持部を有する駒部材の複数が、宙吊り支持される移動用レールに支持されているから、それら複数の駒部材に、水や洗浄液等の洗浄用流体を供給する可撓ホースのホース長手方向中間部分を支持させることが自在であり、それによって可撓ホースを移動用レールに吊設させることが可能になる。これによれば、可撓ホースが地面上において引き回されていた従来の手段に比べて、可撓ホースを移動し易い状態が得られるとともに、自動車等の洗車対象に可撓ホースが引っ掛かって伸びないといった使い勝手の悪さも生じないようになるので、洗車対象への洗浄流体供給作業の効率化や迅速化を図ることが可能になる。そして、移動用レールは、自動車前後方向に沿う縦レール部を有しているから、可撓ホースが吊下げられている駒部材を自動車前後方向に自在に移動させて使うことができ、可撓ホースを用いた洗車作業を、労力が軽減されて軽快で、かつ、効率良く行うことが可能になる。また、可撓ホースの支持部を有する駒部材の数の増減により、噴出部の移動量を移動用レールに見合ったもの或いは長いめの値に設定する等、可撓ホースの長さを任意に設定することが自在である。
【００１７】
その結果、コストや設置スペース、及び洗車仕上がり具合において有利な手動式洗車装置に着目することにより、洗車作業時における洗浄用ホースの移動に方向性が生じることに起因してホース類が損傷し易いことが回避されるとともに、洗車用具の後片付け具合が洗浄作業者の資質に左右されることが殆ど無く、また、洗車作業効率も改善されるようにして、従来の欠点が解消されて便利で使い勝手の良い洗車支援設備を開発して提供することができる。
【００１８】
請求項２の発明によれば、自動車幅方向に離れ合う一対の縦レール部及び可撓ホースを有しているので、それぞれの噴出部を作業者が操作する二人作業が可能となる。それにより、洗浄流体の供給を自動車の左右それぞれにおいて行うことができるので、一人の作業者が自動車の左右に廻り込んで作業する場合に比べて、格段に能率良く、かつ、迅速に洗車作業を行うことができ、明確に洗車作業効率の改善される洗車支援設備とすることができる利点がある。
【００１９】
請求項３の発明によれば、二人操作するに必要な二つの噴出部に可撓ホースを介して洗浄用流体を供給する洗浄用流体供給源は一つで済むので、それぞれの可撓ホースごと洗浄用流体供給源を設ける場合に比べて、コスト的に有利となる経済的な状態で請求項２の発明による前記効果（高効率に洗車作業が行える）を奏する洗車支援設備を提供することができる。
【００２０】
請求項４の発明によれば、洗車支援装置は、汚れている乗用自動車等の被洗車対象に対する石鹸水等の洗浄液の散布作業を賄う第１ホース機構と、初めに水を撒いて汚れを粗く落とす予備水洗いや洗浄後の濯ぎとしての水の散布作業を賄う第２ホース機構と、洗浄液や濯ぎ水の吹き飛ばし作業や洗浄後の乾燥作業等のエアを使った洗車作業を賄う第３ホース機構と、のうちの何れか二つ以上を有しているから、洗浄液散布作業、水の散布作業、エア吹き付け作業等の労力を要する洗車作業が簡単で楽に行えるものとなり、洗車作業を強力に補助して支援することが可能となる洗車支援設備を提供することができる。
【００２１】
この場合、請求項５のように、水道水の受け入れが自在な水受入口を有して水供給源が構成されるようにするとか、請求項６のように、コンプレッサからの高圧エアを受入れるエア導入部を有してエア供給源が構成されるようにすれば、専用の水タンクや専用のコンプレッサといった場所及び重量の嵩張るものを装備する必要が無く、洗車支援装置の小型化が図れるとともに、水やエアの供給を連続使用できる便利さがある。また、請求項７のように、ガソリンスタンドに既設のコンプレッサを用いることにより、洗車支援装置がより廉価となる経済的なガソリンスタンド用の洗車支援設備を構築することができる。
【発明を実施するための最良の形態】
【００２２】
以下に、本発明による洗車支援設備の実施の形態を、図面を参照しながら説明する。図１〜図４は洗車支援設備の各部を示す図であり、図２，４は洗車用構造体のみを描いてある。図５は転動フックの構造図、図６は洗車支援設備の全体正面図、図７洗車支援装置の機能系統を示すブロック図、図８は人為操作グリップの構造を示す一部切欠きの側面図、図９は二人作業による洗車状況を示す作用図、図１０は実施例２による洗車支援設備を示す概略図である。
【００２３】
〔実施例１〕
図１〜図３，図６に洗車支援設備Ａが示されている。この人為洗車設備とも言うべき洗車支援設備Ａは、洗車用構造体Ｋと洗車支援装置Ｃとから成り、半自動半手動式の洗浄装置として機能するものであって、例えばガソリンスタンドの一角に配置される。洗車支援設備Ａは、洗車ポート１１の側脇に置かれた洗車支援装置Ｃと、この洗車支援装置Ｃから延設される三種のホース機構ｈ１〜ｈ３と、洗車ポート１１の上方に宙吊り片持されて洗車用スペースＳを形成する長円形の移動用レール７と、これに移動自在に支持されて各ホース機構ｈ１〜ｈ３を吊設支持する複数の駒部材１０等から構成されている。
【００２４】
まず、洗車用構造体Ｋは、防火塀Ｗ沿いに地面Ｇから立設された３本の縦支柱１と、これら縦支柱１の上下中間位置に一端が固定される３本の横支柱２と、各横支柱２の他端と対応する縦支柱１の上端部とを繋ぐ３本の吊りロッド３と、横支柱２の固定部位において隣合う縦支柱１どうしを連結すべく上下の夫々に設けられる一対の短連結部材４，４と、各横支柱２の他端どうしを連結一体化する１本の長連結部材５と、斜交いに装備される種々の補強部材６と、３本の横支柱２に跨る状態でそれらの下側に固定される移動用レール７と、を有して構成されている。移動用レール７には、複数の転動フック１０が移動自在に吊設されている。尚、横支柱２の上側に、宣伝用（装飾用）の鋼板パネル８，９，８を装備する構成としても良い。
【００２５】
縦支柱１は、図３に示すように、その下端部がコンクリート等のウェイト１Ｗが一体化された状態で地中に埋設することで立設姿勢に支持されている。オプションとして装備される一つの縦鋼板パネル９と二つの横鋼板パネル８，８は、いずれもそれらの裏側（内側）に配置された梯子状の支持枠部１９，１８によって起立姿勢で支持されており、横鋼板パネル８，８や縦鋼板パネル９の夫々の外表面には宣伝や広告、或いは意匠等が施される。尚、縦支柱１の数は２本であるとか、４本以上でも良い。
【００２６】
図２、図５に示すように、移動用レール７は、自動車幅方向に隔てられる一対の縦レール部７ａ，７ａと、湾曲した一対の横レール部７ｂ，７ｂとを有する上下方向視形状が長円のループ状を呈する状態にＨ形鋼（断面が逆Ｔ字状の形鋼でも良い）７Ａを屈曲加工して構成されており、その下方において地面に区切り形成されている洗車ポート１１との上下間に洗車用スペースＳを形成している。移動用レール７には、これに沿っての移動が自在な状態に支持される複数の転動フック（駒部材の一例）１０が転がり移動自在に吊設されており、各転動フック１０は、後述する三種で一対の各供給ホース２０，２３，２６のホース長手方向の中間部分を挿通支持している。
【００２７】
転動フック１０は、図５に示すように、Ｈ形鋼７Ａのウェブ７ｗの左右夫々において下側のフランジ７ｆ上を転がり移動自在な左右及び前後一対の計４個のローラ１５と、各供給ホース２０，２３，２６の長手方向中間部分を挿通支持するホース支持部１６とを転動枠１７に有して構成されている。ホース支持部１６は、転動枠１７に上下軸心回りでの回動が可能に支承されており、各供給ホース２０，２３，２６は挿通して係止固定する。従って、各供給ホース２０，２３，２６を引張れば、それに追従して転動フック１０が移動用レール７に対して軽快に転動移動するようになる。
【００２８】
移動用レール７はある程度高さのある自動車（バンや小型トラック等）でも使用できるような高さ位置（地上３．５ｍ前後位）で宙吊り支持されており、その下方の地面に設けられた洗車ポート１１との上下間が洗車スペースＳに形成されている。洗車ポート１１は、幅及び深さが共に微小な側溝１１ａで囲むことで平面視で矩形形状を呈するように回りの地面から区別された敷地領域として形成されており、移動用レール７の中心域を下方投影された状態で洗車ポート１１に示す表示手段Ｈが装備されている。
【００２９】
表示手段Ｈは、図１等に示すように、周囲と異なった材料による平面部分、例えばモルタル仕上げの洗車ポート１１において、部分的に色付コンクリートレンガ等の目印体５７を縦列させて敷設する、といったことで構成される。洗車ポート１１に洗車対象となる自動車を移動させる場合には、丁度表示手段Ｈの真上に位置するように自動車を移動させて駐車させることにより、洗車作業が行い易くなるように、平面視形状が長円形の移動用レール７の中心又はほぼ中心に自動車を比較的簡単に位置させることができる、という利点が得られる。
【００３０】
次に、洗車支援装置Ｃは、図６，図７に示すように、隣合う縦支柱１，１間に配置される装置本体１２、これに設けられる操作部１３、第１〜第３ホース機構ｈ１〜ｈ３等を有して構成されている。第１ホース機構（洗浄用ホース機構ｈの一例）ｈ１は、洗浄液供給ホース（可撓ホースｆの一例）２０と、これの基端に接続される洗浄液供給源（洗浄用流体供給源ｇの一例）２１と、洗浄液供給ホース２０の先端に接続される噴出部（噴出部ｅ）２２と、を有して構成されている。第２ホース機構（洗浄用ホース機構ｈの一例）ｈ２は、水供給ホース（可撓ホースｆの一例）２３と、これの基端に接続される水供給源（洗浄用流体供給源ｇの一例）２４と、水供給ホース２３の先端に接続される噴出部（噴出部ｅ）２５と、を有して構成されている。第３ホース機構（洗浄用ホース機構ｈの一例）ｈ３は、エア供給ホース（可撓ホースｆの一例）２６と、これの基端に接続されるエア供給源（洗浄用流体供給源ｇの一例）２７と、エア供給ホース２６の先端に接続される噴出部（噴出部ｅ）２８と、を有して構成されている。
【００３１】
装置本体１２に収容される洗浄液供給源２１は、洗浄液供給ホース２０の基端が接続されるエア混合機構３０に出力し、水道水の供給路２９を入力とするウォータポンプ（ウォータパワードポンプ）３１と、ウォータポンプ３１の吸引ホース３２が挿入される洗剤タンク３３と、を有して構成されている。つまり、供給路２９から流入してくる水道水の流れによって作動するウォータポンプ３１が洗剤タンク３３に貯留されている液体洗剤を吸引して水道水に混合させ、その洗剤の混合された水道水、即ち洗浄液にエア混合機構３０にてエアが混ぜられて泡状となった洗浄液が洗浄液供給ホース２０を通して、噴出部２２である先端ノズル構造の泡グリップ２２から噴出させることが自在である。
【００３２】
泡グリップ２２には開閉弁（図示省略）が内装されており、その切換レバー２２ａをグリップ部２２ｇと共握りすれば切換弁が「開」となって泡状洗浄液を噴出させることができ、切換レバー２２ａを握らなければ切換弁が「閉」となって泡状洗浄液の噴出が停止するように構成されている。尚、ウォータポンプ３１には、水道水に混ぜる洗剤の量を調節するための洗剤混合比調節部３３ａが装備されている。また、図７における５９は、適所に設けられる水抜きバルブである。
【００３３】
装置本体１２に収容される水供給源２４は、水道水を供給自在な蛇口等の水吐出部３４に接続される水ホース（水受入口の一例）３５、水道水から異物等を取り除く装置であるストレーナ３６、活水装置３７等を設けて構成されている。これら三者３５，３６，３７を直列に繋ぐ水流入路３８に、分岐路３９を介して水供給ホース２３が接続されるとともに、洗浄液供給源２１の供給路２９が分岐路３９に接続されている。つまり、水供給源２４は第１及び第２ホース機構ｈ１，ｈ２双方に対する水の供給元として機能するものになっている。
【００３４】
参考として活水装置３７は、「水本来の持っている力（表面張力・溶解力・浸透力・熱伝導力）を甦らせる装置」であり、例えば、マイナス電荷傾向にある水道水を、磁気の力を使ってプラス電荷状態に活性化させる磁気活水装置が挙げられる。つまり、ファラデーの法則によって生じる磁気モーメントにより、水分子は電子の回転が盛んになって分子間のエネルギー運動が活発化され、分子と分子の衝突が激しくなることによって大きな水分子集団が小さな集団に生まれ変わり、水が活性化される。この活性化により、水による洗浄能力が向上することから洗浄液による汚れ落し作用、並びに水洗いによる洗浄液落し作用のいずれもが改善され、少ない水量でも十分な洗浄効果を得ることができる。その結果、洗車に掛かる経費を大幅に削減することが可能となる。
【００３５】
装置本体１２に収容されるエア供給源２７は、コンプレッサ等の高圧エア（圧搾空気）の供給器４０に接続されるエアホース（エア導入部の一例）４１、エアクリーナ４２、第１レギュレータ４３、第２レギュレータ４４から構成されている。第１レギュレータ４３通過後のエアがエア供給ホース２６に送られ、また、第２レギュレータ４４通過後のエアがエア混合機構３０に送られるように構成されている。ガソリンスタンドにおいては新たにエア供給器４０を購入しなくても済むように、既設のコンプレッサがエア供給器４０に兼用できるようになっている。
【００３６】
図７，図８に示すように、第２ホース機構ｈ２の噴出部２５と第３ホース機構ｈ３の噴出部２８とは、水供給ホース２３の接続部４５と、エア供給ホース２６の接続部４６と、単一のノズル４７と、切換弁４８と、混合部４９とを有する単一の人為操作グリップ（噴出部の一例）２５によって兼用構成されている。人為操作グリップ２５におけるグリップ部２５ｇには、内部形成される水移送経路５０における水の流れを断続自在な水用開閉弁４８Ａが装備されており、支点Ｐで揺動自在に枢支されている操作レバー２５ａのグリップ部２５ｇとの共握りによる矢印イ方向への揺動移動によって水用開閉弁４８Ａが開操作され、共握り解除によって実線で描かれた位置へ復帰すべく矢印ロ方向への揺動移動によって水用開閉弁４８Ａが閉じ操作されるように構成されている。
【００３７】
混合部４９は、水移送経路５０よりも大径なエア混合室４９Ａを有しており、根元に接続部４６を有するエアノズル部５２が混合部４９の周壁４９ｈを貫通する状態で設けられている。エア混合室４９Ａは、主混合室４９ａと、これよりも小容積で、かつ、環状の仕切り壁４９ｃで主混合室４９ａから仕切られる安定室４９ｂとを有して構成されており、安定室４９ｂにノズル４７が装着される。エアノズル部５２は、エア混合室４９Ａからの水の逆流を阻止する逆止弁５８と、エア混合室４９Ａにエアを勢い良く噴出させるためのノズル部５４とを備えている。エアノズル部５２は、ノズル部５４から排出されるエアの向きがエア混合室４９Ａにおける水の流れに対して交差し、かつ、エアの流れ方向の下手側が水の流れ方向の下手側となる状態に角度θでもって傾斜配置されている。角度θとしては４５度が好適であるが、それ以外の角度でも良い。
【００３８】
エア供給ホース２６の途中部位又はエアノズル部５２に連設させてエア供給ホース２６を断続切換自在なエア用開閉弁４８Ｂが、水用開閉弁４８Ａとは別にば設けられている。従って、水用開閉弁４８Ａとエア用開閉弁４８Ｂとの夫々の開閉操作により、水供給ホース２３のみがノズル４７に連通する水供給状態と、エア供給ホース２６のみがノズル４７に連通するエア供給状態とが、二つの開閉弁４８Ａ，４８Ｂの操作によって切換自在に構成されており、これら水用開閉弁４８Ａとエア用開閉弁４８Ｂとで切換弁４８が構成されている。尚、図８の４８ｂはエア用開閉弁４８Ｂを開閉するためのスイッチレバーであり、実線で示す位置が閉」に、そして仮想線で示す位置が「開」にそれぞれ操作される。
【００３９】
ところで、泡グリップ２２と人為操作グリップ２５とは夫々一対ずつ設けられており、移動用レール７に到達する手前において各ホース２０，２３，２６は二本ずつの分岐ホース２０ｈ、２３ｈ、２６ｈに分岐されている。装置本体１２に設けられる操作部１３には、水道水の供給を遮断する水全停止レバー５５と、高圧エアの供給を遮断するエア全停止レバー５６とが装備されている（図６参照）。尚、５３は合成樹脂材等によって成形されている水桶である。
【００４０】
次に、上述の洗車支援設備Ａを用いた二人の作業者による洗車作業の例を図６に示す。図６は、洗車ポート１１に駐車されている洗車対象である自動車Ｂの両サイドに作業者ｍ、ｍが位置し、夫々が泡グリップ２２を持って自動車Ｂに泡状の洗浄液（洗剤水）を吹き付けている状況を示している。尚、洗車作業の進行に伴い、作業者ｍは泡グリップ２２に代えて水やエアを吹き付ける人為操作グリップ２５を用いるようになる。
【００４１】
一般的な人為洗車は、まず、人為操作グリップ２５を用いて自動車全体に水を掛けて砂や泥等を落とすとともに、汚れを落とし易くすべく膨潤させる予備水洗い工程を行う。この予備水洗いの際には、水だけを噴出させても良いし、水流の勢いを増して節水すべくエアを混ぜて噴出させても良い。それから、泡グリップ２２に持ち換え、洗剤水（洗浄液）を散布する洗浄液散布工程を行う（図９参照）。そして、洗浄液が塗された状態の自動車を、スポンジやウェス等の拭取り具を用いてボディーを拭き擦りして洗浄し、その拭取り工程の終了後に再び人為操作グリップ２５に持ち換え、洗浄液や残りの汚れを落とすべく水を噴出させる濯ぎ工程を行う。この濯ぎ工程でも、エアを水に混ぜてパワーアップさせても良い。最後に、乾燥したウエス等を用いて拭取るか、又は人為操作グリップ２５からエアのみを噴出させての送風によって迅速に残存水分を除去及び乾燥させるか、或いは自然乾燥させ、洗車支援設備を用いた一連の人為洗車作業が終了する。尚、汚れ具合によっては最初の予備水洗い工程を省いても良い。
【００４２】
そして、使い終わった４個の各グリップ２２，２２，２５，２５及び各ホース２０，２３，２６は、各グリップ２２，２２，２５，２５の先端部を水桶５３に浸ける状態に後始末するだけで良く、地面に散らばっているゴムホース部分を巻き取る等の面倒で汚れる後片付けが不要である。従って、面倒臭がりな作業者であっても迅速にしかも汚したり散らかしたままにすることなくクリーンな状態で作業を終了したり、或いは次の作業者に交代したりすることができる。
【００４３】
参考として、図８に示す４５度傾斜混合型の人為操作グリップ２５を用いての水・エア混合状態での水噴出動作における節水効果について説明する。水道水が、圧力４．２ｋｇ／ｃｍ2 で単位時間（分）当りの流量が１７Ｌ／ｍｉｎに設定されている条件での節水率は、エア圧が２ｋｇ／ｃｍ2 では０％、エア圧が３ｋｇ／ｃｍ2 では２４％、エア圧が４ｋｇ／ｃｍ2 では３９％、エア圧が５ｋｇ／ｃｍ2 では５７％であった。尚、節水率とは、ある定まった汚れ状態の自動車ボディをある定まったクリーンな状態にまで汚れを落とすに要する水の量として、水のみの噴出状態で達成するに必要な水量に対する、前述した各エア圧での水・エア混合での噴出状態で達成するに必要な水量の割合を百から減じた単位％の値、として定義することができるが、これには限られない。
【００４４】
〔実施例２〕
実施例２による洗車支援設備Ａは、実施例１のものと洗車用構造体Ｋと洗車支援装置とのそれぞれが若干異なるものである。即ち、図１０に示すように、洗車用構造体Ｋに関しては、縦支柱１が２本仕様となり、かつ、自動車前後方向に沿う互いに独立した一対の縦レール部７ａ，７ａから移動用レール７が構成されている。横レール部７ｂが省略されているが、自動車幅方向には可撓ホースｆの引き回し移動によって十分機能させることが可能であり、転動フック１０は縦レール部７ａの一端から他端まで移動させることが可能である。
【００４５】
洗車支援装置Ｃは、洗浄液、水、エアの切換、或いはこれらのうちの二つ又は全部を同時に噴出自在な切換式の洗浄用ホース機構ｈを、各縦レール部７ａごとに計一対備える装置本体１２を有する構成である。この場合、可撓ホースｆを、洗浄液用と水用とエア用との３本を束ねたものとしても良い。例えば、噴出部である人為操作グリップｅに装備される切換機構（図示省略）の操作により、洗浄液供給源２１からの洗浄液を噴出する状態と、水供給源２４からの水を噴出する状態と、エア供給源２７からの高圧エアを噴出させる状態とを選択して用いるのである。
【００４６】
〔別実施例〕
図示は省略するが、移動用レール７は、一つの縦レール部分と一つの横レール部分とを有する平面視の形状がＬ字状のものや、略コ字状や半円形等の一続きで有端の形状でも良い。各ホース２０，２３，２６ごとに専用の噴出部（グリップ）を設けるとか、第１〜第３ホース機構ｈ１〜ｈ３のうちの何れか二つを備える洗車支援設備でも良い。また、泡グリップ２２と人為操作グリップ２５との対を３組以上装備しても良い。目印体５７としては、マーキング、塗装、凹凸起伏等の模様やデザイン、表示灯等、種々のものが採用可能である。また、駒部材１０は、移動用レール７に摺動移動自在に装備される構造のものでも良い。
【図面の簡単な説明】
【００４７】
【図１】実施例１による洗車支援設備の概略全体を示す見下ろしの斜視図
【図２】図１における洗車用構造体を示す見上げ斜視図
【図３】図１の洗車支援設備の断面側面図
【図４】図１における洗車用構造体を示す正面図
【図５】移動用レールと転動フックとの係合部分を示す図
【図６】洗車支援設備の正面図
【図７】洗車支援装置の概略の構造を示す機能系統図
【図８】人為操作グリップの内部構造を示す要部の一部切欠きの側面図
【図９】二人作業で自動車の洗車作業を行う状態を示す作用図
【図１０】実施例２による洗車支援設備の要部を示す正面図
【符号の説明】
【００４８】
７          移動用レール
７ａ        縦レール部
１０        駒部材
１６        ホース支持部
２０        洗浄液供給ホース
２１        洗浄液供給源
２２        噴出部
２３        水供給ホース
２４        水供給源
２５        噴出部
２６        エア供給ホース
２７        エア供給源
２８        噴出部
２９        水受入口
４０        コンプレッサ
４１        エア導入部
Ａ          洗車支援設備
Ｃ          洗車支援装置
Ｋ          洗車用構造体
Ｓ          洗車用スペース
ｅ          噴出部
ｆ          可撓ホース
ｇ          洗浄用流体供給源
ｈ          洗浄用ホース機構
ｈ１        第１ホース機構
ｈ２        第２ホース機構
ｈ３        第３ホース機構
【図１】
2008100540.tif 000003
【図２】
2008100540.tif 000004
【図３】
2008100540.tif 000005
【図４】
2008100540.tif 000006
【図５】
2008100540.tif 000007
【図６】
2008100540.tif 000008
【図７】
2008100540.tif 000009
【図８】
2008100540.tif 000010
【図９】
2008100540.tif 000011
【図１０】
2008100540.tif 000012